(57)【要約】【課題】通話相手の個人情報を記憶していない通信端末においても、使用者に、電話をかけてきた相手を通話開始前に認識させることができるようにする。【解決手段】この通信仲介装置１００は、複数の通信端末それぞれの電話番号と、当該電話番号に対応する通信端末の使用者を示す使用者情報を対応付けて記憶する電話帳記憶部と、発呼側端末１０の電話番号を含み、発呼側端末１０から着呼側端末３００への発呼を示す発呼情報を発呼側端末１０から受信する第１の電話接続処理部と、発呼情報に含まれる電話番号に対応する使用者情報を電話帳記憶部から読み出して着呼側端末に送信する処理を行う通知部と、着呼側端末３００から、着信を許可することを示す認証情報を受信したときに、着呼側端末３００に発呼する第２の電話接続処理部とを備える。【選択図】図１
2009260741.tif 000002
【特許請求の範囲】
【請求項１】
複数の通信端末それぞれの電話番号と、当該電話番号に対応する通信端末の使用者を示す使用者情報を対応付けて記憶する電話帳記憶手段と、
発呼側の通信端末である発呼側端末の電話番号を含み、当該発呼側端末から着呼側の通信端末である着呼側端末への発呼情報を前記発呼側端末から受信する第１の電話接続処理手段と、
受信した前記発呼情報に含まれる前記発呼側端末の電話番号に対応する前記使用者情報を前記電話帳記憶手段から読み出して前記着呼側端末に送信する通知手段と、
前記使用者情報の送信先である前記着呼側端末から、着信を許可することを示す認証情報を受信したときに、前記着呼側端末に発呼する第２の電話接続処理手段と、
を備え、
前記認証情報を受信した後に、前記第１の電話接続処理手段が前記発呼側端末と電話としての接続を確立し、かつ前記第２の電話接続処理手段が前記着呼側端末と電話としての接続を確立することにより、前記発呼側端末と前記着呼側端末を電話として接続する通信仲介装置。
【請求項２】
請求項１に記載の通信仲介装置において、
前記使用者情報及び前記認証情報は、パケット通信によって通信される請求項１に記載の通信仲介装置。
【請求項３】
請求項１又は２に記載の通信仲介装置において、
前記着呼側端末の電話番号と、通信仲介装置の電話番号である第２の電話番号とを対応付けて記憶する着呼側情報記憶手段をさらに備え、
前記発呼側端末は、前記着呼側端末の電話番号として前記第２の電話番号を前記発呼情報に含ませ、
前記発呼情報に前記第２の電話番号が含まれているときに、前記発呼情報は前記第１の電話接続処理手段に送信され、
前記第２の電話接続処理手段は、前記発呼情報に含まれる前記第２の電話番号に対応する前記電話番号を、前記着呼側情報記憶手段から読み出し、読み出した前記電話番号を用いて前記着呼側端末との間で電話としての接続を確立する通信仲介装置。
【請求項４】
請求項１〜３のいずれか一つに記載の通信仲介装置において、
前記第１の電話接続処理手段は、前記認証情報を受信したときに、前記発呼側端末との間で電話としての接続を確立する通信仲介装置。
【請求項５】
請求項１〜４のいずれか一つに記載の通信仲介装置において、
前記電話帳記憶手段は、特定の前記使用者情報に、当該使用者情報に対応する通信端末からの着信を拒否することを促す警告情報を含ませて記憶している通信仲介装置。
【請求項６】
通信端末であって、
通信仲介装置から、当該通信端末へ発呼した他の通信端末の使用者を示す使用者情報を受信する受信手段と、
前記受信手段が受信した前記使用者情報を使用者に認識させる処理を行う認識処理手段と、
使用者から、着信を許可するか否かを示す認証結果情報の入力を受ける入力手段と、
入力された前記認証結果情報を前記通信仲介装置に送信する送信手段と、
を備える通信端末。
【請求項７】
請求項６に記載の通信端末において、
前記受信手段は、パケット通信によって前記使用者情報を受信し、
前記送信手段は、パケット通信によって前記認証結果情報を送信する通信端末。
【請求項８】
請求項６又は７に記載の通信端末において、
表示手段をさらに備え、
前記認識処理手段は、前記使用者情報を前記表示手段に表示させる通信端末。
【請求項９】
請求項６〜８のいずれか一つに記載の通信端末において、
前記送信手段が前記認証結果情報を送信した後、前記通信仲介装置から発呼されたときに使用者からの入力なしで前記通信仲介装置との間で電話としての接続を確立する電話接続処理手段をさらに備える通信端末。
【請求項１０】
通信仲介装置と、
前記通信仲介装置を介して発呼側端末と電話として接続する着呼側端末と、
を備え、
前記通信仲介装置は、
複数の通信端末それぞれの電話番号と、当該電話番号が示す通信端末の使用者を示す使用者情報を対応付けて記憶する電話帳記憶手段と、
前記発呼側端末の電話番号を含み、前記発呼側端末から前記着呼側端末への発呼を示す発呼情報を前記発呼側端末から受信する第１の電話接続処理手段と、
前記第１の電話接続処理手段が前記発呼情報を受信したときに、前記発呼情報に含まれる電話番号に対応する前記使用者情報を前記電話帳記憶手段から読み出し、読み出した前記使用者情報を前記着呼側端末に送信する通知手段と、
を備え、
前記着呼側端末は、
通信仲介装置から前記使用者情報を受信する受信手段と、
前記受信手段が受信した前記使用者情報を使用者に認識させる処理を行う認識処理手段と、
使用者から、着信を許可するか否かを示す認証結果情報の入力を受ける入力手段と、
入力された前記認証結果情報を前記通信仲介装置に送信する送信手段と、
を備え、
前記通信仲介装置は、
前記着呼側端末から、前記認証結果情報を受信し、受信した前記認証結果情報が着信を許可することを示すときに、前記着呼側端末に発呼する第２の電話接続処理手段と、
をさらに備え、
前記第１の電話接続処理手段が前記発呼側端末と電話としての接続を確立し、かつ前記第２の電話接続処理手段が前記着呼側端末と電話としての接続を確立することにより、前記発呼側端末と前記着呼側端末を電話として接続する通信システム。
【請求項１１】
電話帳サーバと、着呼側の通信端末である着呼側端末を備える通信システムであって、
前記電話帳サーバは、
複数の通信端末それぞれの電話番号と、当該電話番号に対応する通信端末の使用者を示す使用者情報を対応付けて記憶する電話帳記憶手段と、
前記着呼側端末から電話番号を受信したときに、受信した電話番号に対応する前記使用者情報を、前記電話帳記憶手段から読み出して前記着呼側端末に送信する使用者情報送信手段と、
を有しており、
前記着呼側端末は
発呼側の端末である発呼側端末の電話番号を含み、前記発呼側端末から前記着呼側端末への発呼を示す発呼情報を受信する電話接続処理手段と、
前記発呼情報に含まれる前記電話番号を前記電話帳サーバに送信する電話番号送信手段と、
前記電話帳サーバから前記使用者情報を受信し、受信した前記使用者情報を前記着呼側端末の使用者に認識させる処理を行う認識処理手段と、
を備える通信システム。
【請求項１２】
請求項１０又は１１に記載の通信システムにおいて、
前記電話帳記憶手段は、特定の前記使用者情報に、当該使用者情報に対応する通信端末からの着信を拒否することを促す警告情報を含ませており、
前記着呼側端末の前記認識処理手段は、受信した前記使用者情報に前記警告情報が含まれていたときに、前記警告情報を前記使用者に認識させる処理を行う通信システム。
【請求項１３】
通信端末であって、
発呼側端末の電話番号を含み、前記発呼側端末から当該通信端末への発呼を示す発呼情報を受信する電話接続処理手段と、
前記発呼情報に含まれる前記電話番号を前記電話帳サーバに送信する電話番号送信手段と、
前記電話帳サーバから、前記発呼側端末の使用者を示す使用者情報を受信し、受信した前記使用者情報を当該通信端末の使用者に認識させる処理を行う認識処理手段と、
を備える通信端末。
【請求項１４】
請求項１３に記載の通信端末において、
前記認識処理手段が前記使用者情報を前記使用者に認識させた後、着信を許可するか否かを示す認証結果情報が入力される入力手段をさらに備え、
前記電話接続処理手段は、前記認証結果情報が着信を許可することを示していたときに、前記発呼側端末との間で電話としての通信を確立する通信端末。
【請求項１５】
通信仲介装置が、発呼側の通信端末である発呼側端末の電話番号を含み、当該発呼側端末から着呼側の通信端末である着呼側端末への発呼を示す発呼情報を前記発呼側端末から受信するステップと、
前記通信仲介装置が、複数の通信端末それぞれの電話番号と当該電話番号に対応する通信端末の使用者を示す使用者情報を対応付けて記憶する電話帳記憶手段から、前記発呼情報に含まれる電話番号に対応する前記使用者情報を読み出して前記着呼側端末に送信するステップと、
前記通信仲介装置が、前記使用者情報を送信した前記着呼側端末から着信を許可したことを示す認証情報を受信したときに、前記着呼側端末に発呼するステップと、
前記通信仲介装置が、前記発呼側端末と電話としての接続を確立し、かつ前記着呼側端末と電話としての接続を確立することにより、前記発呼側端末と前記着呼側端末を電話として接続するステップと、
を備える通信方法。
【請求項１６】
電話による通信が可能である通信端末が、通信仲介装置から、当該通信端末へ発呼した他の通信端末の使用者を示す使用者情報を受信するステップと、
前記通信端末が、受信した前記使用者情報を使用者に認識させる処理を行うステップと、
前記通信端末が、使用者から、着信を許可するか否かを示す認証結果情報の入力を受けるステップと、
前記通信端末が、入力された前記認証結果情報を前記通信仲介装置に送信するステップと、
を備える通信方法。
【請求項１７】
通信仲介装置を介して発呼側の通信端末である発呼側端末から着信側の通信端末である着呼側端末への電話を接続する通信方法であって、
前記通信仲介装置が、前記発呼側端末の電話番号を含み、前記発呼側端末から前記着呼側端末への発呼を示す発呼情報を前記発呼側端末から受信するステップと、
前記通信仲介装置が、複数の通信端末それぞれの電話番号と当該電話番号が示す通信端末の使用者を示す使用者情報を対応付けて記憶する電話帳記憶手段から、前記発呼情報に含まれる前記発呼側端末の電話番号に対応する前記使用者情報を読み出して前記着呼側端末に送信するステップと、
前記着呼側端末が、前記通信仲介装置から前記使用者情報を受信するステップと、
前記着呼側端末が、受信した前記使用者情報を使用者に認識させる処理を行うステップと、
前記着呼側端末が、使用者から、着信を許可するか否かを示す認証結果情報の入力を受けるステップと、
前記着呼側端末が、入力された前記認証結果情報を前記通信仲介装置に送信するステップと、
前記通信仲介装置が、前記着呼側端末から前記認証結果情報を受信し、受信した前記認証結果情報が着信を許可したことを示すときに、前記着呼側端末に発呼するステップと、
前記通信仲介装置が、前記発呼側端末と電話としての接続を確立し、かつ前記着呼側端末と電話としての接続を確立することにより、前記発呼側端末と前記着呼側端末を電話として接続するステップと、
を備える通信方法。
【請求項１８】
発呼側の通信端末である発呼側端末の電話番号を含み、前記発呼側端末から着呼側の通信端末である着呼側端末への発呼を示す発呼情報を着呼側端末が受信するステップと、
前記発呼側端末が、前記発呼情報に含まれる前記発呼側端末の前記電話番号を電話帳サーバに送信するステップと、
前記電話帳サーバが前記電話番号を前記着呼側端末から受信するステップと、
複数の通信端末それぞれの電話番号と、当該電話番号に対応する通信端末の使用者を示す使用者情報を対応付けて記憶する電話帳記憶手段から、前記電話帳サーバが、受信した前記電話番号に対応する前記使用者情報を読み出すステップと、
前記電話帳サーバが、読み出した前記使用者情報を前記着呼側端末に送信するステップと、
前記着呼側端末が、前記使用者情報を受信し、受信した前記使用者情報を前記着呼側端末の使用者に認識させる処理を行うステップと、
を備える通信方法。
【請求項１９】
通信端末が、発呼側の通信端末である発呼側端末の電話番号を含み、前記発呼側端末から当該通信端末への発呼を示す発呼情報を受信するステップと、
前記通信端末が、前記発呼情報に含まれる前記発呼側端末の前記電話番号を前記電話帳サーバに送信するステップと、
前記通信端末が、前記電話帳サーバから前記発呼側端末の使用者を示す使用者情報を受信し、受信した前記使用者情報を前記着呼側端末の使用者に認識させる処理を行うステップと、
を備える通信方法。
【請求項２０】
コンピュータを、発呼側の通信端末である発呼側端末から着呼側の通信端末である着呼側端末への電話接続を仲介する通信仲介装置として機能させるためのプログラムであって、
前記発呼側端末の電話番号を含み、前記発呼側端末から前記着呼側端末への発呼を示す発呼情報を前記発呼側端末から受信する処理と、
複数の通信端末それぞれの電話番号と当該電話番号が示す通信端末の使用者を示す使用者情報を対応付けて記憶する電話帳記憶手段から、前記発呼情報に含まれる電話番号に対応する前記使用者情報を読み出して前記着呼側端末に送信する処理と、
前記着呼側端末から着信を許可したことを示す認証情報を受信したときに、前記着呼側端末に発呼する処理と、
前記発呼側端末と電話としての接続を確立し、かつ前記着呼側端末と電話としての接続を確立することにより、前記発呼側端末と前記着呼側端末を電話として接続する処理と、
をコンピュータに実行させるプログラム。
【請求項２１】
通信端末が実行可能なプログラムであって、
通信仲介装置から、当該通信端末へ発呼した他の通信端末の使用者を示す使用者情報を受信する処理と、
前記受信手段が受信した前記使用者情報を使用者に認識させる処理と、
使用者から、着信を許可するか否かを示す認証結果情報の入力を受ける処理と、
入力された前記認証結果情報を前記通信仲介装置に送信する処理と、
を通信端末に実行させるプログラム。
【請求項２２】
通信端末が実行可能なプログラムであって、
発呼側の通信端末である発呼側端末の電話番号を含み、前記発呼側端末から前記通信端末への発呼を示す発呼情報を受信する処理と、
前記発呼情報に含まれる前記電話番号を前記電話帳サーバに送信する処理と、
前記電話帳サーバから、前記発呼側端末の使用者を示す使用者情報を受信し、受信した前記使用者情報を前記通信端末の使用者に認識させる処理と
を通信端末に実行させるプログラム。
【発明の詳細な説明】
【技術分野】
【０００１】
本発明は、発呼側端末と着呼側端末を電話として接続する通信仲介装置、通信端末、通信システム、通信方法、及びプログラムに関する。
【背景技術】
【０００２】
近年の通信端末は、携帯通信端末に代表されるように、通話相手の個人情報、例えば電話番号が記憶できるようになっている（例えば特許文献１及び２参照）。
【特許文献１】特開２００２−８４３６０号公報
【特許文献２】特開２００４−２３５８１０号公報
【発明の開示】
【発明が解決しようとする課題】
【０００３】
しかし、通信端末が他人の手に渡ると、その通信端末に記憶されている個人情報が流出する可能性が出てくる。このため、通信端末に通話相手の個人情報を記憶できないようにするのが望ましい。しかし、通信端末が通話相手の個人情報を記憶していない場合、通信端末は、電話がかかってきたときに、通信端末の使用者に対して電話をかけてきた相手を、通話開始前に認識させることができない。
【０００４】
本発明は上記事情に鑑みてなされたものであり、その目的とするところは、通話相手の個人情報を記憶していない通信端末においても、使用者に、電話をかけてきた相手を通話開始前に認識させることができる通信仲介装置、通信端末、通信システム、通信方法、及びプログラムを提供することにある。
【課題を解決するための手段】
【０００５】
本発明によれば、複数の通信端末それぞれの電話番号と、当該電話番号に対応する通信端末の使用者を示す使用者情報を対応付けて記憶する電話帳記憶手段と、
発呼側の通信端末である発呼側端末の電話番号を含み、当該発呼側端末から着呼側の通信端末である着呼側端末への発呼情報を前記発呼側端末から受信する第１の電話接続処理手段と、
受信した前記発呼情報に含まれる前記発呼側端末の電話番号に対応する前記使用者情報を前記電話帳記憶手段から読み出して前記着呼側端末に送信する通知手段と、
前記使用者情報の送信先である前記着呼側端末から、着信を許可することを示す認証情報を受信したときに、前記着呼側端末に発呼する第２の電話接続処理手段と、
を備え、
前記認証情報を受信した後に、前記第１の電話接続処理手段が前記発呼側端末と電話としての接続を確立し、かつ前記第２の電話接続処理手段が前記着呼側端末と電話としての接続を確立することにより、前記発呼側端末と前記着呼側端末を電話として接続する通信仲介装置が提供される。
【０００６】
本発明によれば、通信端末であって、
通信仲介装置から、当該通信端末へ発呼した他の通信端末の使用者を示す使用者情報を受信する受信手段と、
前記受信手段が受信した前記使用者情報を使用者に認識させる処理を行う認識処理手段と、
使用者から、着信を許可するか否かを示す認証結果情報の入力を受ける入力手段と、
入力された前記認証結果情報を前記通信仲介装置に送信する送信手段と、
を備える通信端末が提供される。
【０００７】
本発明によれば、通信仲介装置と、
前記通信仲介装置を介して発呼側端末と電話として接続する着呼側端末と、
を備え、
前記通信仲介装置は、
複数の通信端末それぞれの電話番号と、当該電話番号が示す通信端末の使用者を示す使用者情報を対応付けて記憶する電話帳記憶手段と、
前記発呼側端末の電話番号を含み、前記発呼側端末から前記着呼側端末への発呼を示す発呼情報を前記発呼側端末から受信する第１の電話接続処理手段と、
前記第１の電話接続処理手段が前記発呼情報を受信したときに、前記発呼情報に含まれる電話番号に対応する前記使用者情報を前記電話帳記憶手段から読み出し、読み出した前記使用者情報を前記着呼側端末に送信する通知手段と、
を備え、
前記着呼側端末は、
通信仲介装置から前記使用者情報を受信する受信手段と、
前記受信手段が受信した前記使用者情報を使用者に認識させる処理を行う認識処理手段と、
使用者から、着信を許可するか否かを示す認証結果情報の入力を受ける入力手段と、
入力された前記認証結果情報を前記通信仲介装置に送信する送信手段と、
を備え、
前記通信仲介装置は、
前記着呼側端末から、前記認証結果情報を受信し、受信した前記認証結果情報が着信を許可することを示すときに、前記着呼側端末に発呼する第２の電話接続処理手段と、
をさらに備え、
前記第１の電話接続処理手段が前記発呼側端末と電話としての接続を確立し、かつ前記第２の電話接続処理手段が前記着呼側端末と電話としての接続を確立することにより、前記発呼側端末と前記着呼側端末を電話として接続する通信システムが提供される。
【０００８】
本発明によれば、電話帳サーバと、着呼側の通信端末である着呼側端末を備える通信システムであって、
前記電話帳サーバは、
複数の通信端末それぞれの電話番号と、当該電話番号に対応する通信端末の使用者を示す使用者情報を対応付けて記憶する電話帳記憶手段と、
前記着呼側端末から電話番号を受信したときに、受信した電話番号に対応する前記使用者情報を、前記電話帳記憶手段から読み出して前記着呼側端末に送信する使用者情報送信手段と、
を有しており、
前記着呼側端末は
発呼側の端末である発呼側端末の電話番号を含み、前記発呼側端末から前記着呼側端末への発呼を示す発呼情報を受信する電話接続処理手段と、
前記発呼情報に含まれる前記電話番号を前記電話帳サーバに送信する電話番号送信手段と、
前記電話帳サーバから前記使用者情報を受信し、受信した前記使用者情報を前記着呼側端末の使用者に認識させる処理を行う認識処理手段と、
を備える通信システムが提供される。
【０００９】
本発明によれば、通信端末であって、
発呼側端末の電話番号を含み、前記発呼側端末から当該通信端末への発呼を示す発呼情報を受信する電話接続処理手段と、
前記発呼情報に含まれる前記電話番号を前記電話帳サーバに送信する電話番号送信手段と、
前記電話帳サーバから、前記発呼側端末の使用者を示す使用者情報を受信し、受信した前記使用者情報を当該通信端末の使用者に認識させる処理を行う認識処理手段と、
を備える通信端末が提供される。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、通話相手の個人情報を記憶していない通信端末においても、使用者に、電話をかけてきた相手を通話開始前に認識させることができる。
【発明を実施するための最良の形態】
【００１２】
以下、本発明の実施の形態について、図面を用いて説明する。尚、すべての図面において、同様な構成要素には同様の符号を付し、適宜説明を省略する。
（第１の実施形態）
【００１３】
図１は、第１の実施の形態にかかる通信システム５０の構成を示すブロック図である。通信システム５０は、通信仲介装置１００と、着呼側端末３００を備える。着呼側端末３００は、電話による通信が可能な端末であり、例えば携帯通信端末である。発呼側端末１０は、着呼側端末３００に電話をかけるときは、通信仲介装置１００に発呼情報を送信する。発呼情報には、発呼側端末１０の電話番号が含まれる。通信仲介装置１００は、電話番号と使用者情報を対応付けた電話帳データを有している。通信仲介装置１００は、この電話帳データから、発呼情報に含まれる電話番号に対応する使用者情報を読み出して着呼側端末３００に送信する。着呼側端末３００は、着呼側端末３００の使用者に、受信した使用者情報を認識させる。このため、着呼側端末３００に電話帳データが記憶されていなくても、着呼側端末３００の使用者は、通話開始前に、誰から電話がかかってきたか認識することができる。
【００１４】
その後、着呼側端末３００の使用者は、着呼側端末３００に、発呼側端末１０からの着信を許可するか否かを示す認証結果情報を入力する。着呼側端末３００は、入力された認証結果情報を通信仲介装置１００に送信する。通信仲介装置１００は、受信した認証結果情報が着信を許可する旨を示していたときに、発呼側端末１０と着呼側端末３００の間を電話として接続する。このように、着呼側端末３００の使用者は、認証結果情報を入力するのみで、発呼側端末１０と着呼側端末３００の間の電話としての接続を確立することができる。
【００１５】
このため、着呼側端末３００を使用しても、着信までに使用者に要求される操作回数は、通常の通信端末と比較して増加しない。従って、着呼側端末３００の使用者は、通常の通信端末と同様の感覚で着呼側端末３００を操作することができる。
【００１６】
図２は、通信仲介装置１００の機能構成の一例を示すブロック図である。通信仲介装置１００は、第１の電話接続処理部１１０、通知部１２０、パケット通信部１３０、認証結果処理部１４０、第２の電話接続処理部１５０、電話帳記憶部１６０、着呼側情報記憶部１７０、及び履歴記憶部１８０を有する。第１の電話接続処理部１１０は、通信仲介装置１００と発呼側端末１０の間で電話を接続する処理を行う。通知部１２０は、発呼側端末１０からの発呼があったことを着呼側端末３００に通知する処理を行う。パケット通信部１３０は、着呼側端末３００と通信仲介装置１００の間でパケット通信を行う。パケット通信には、メール及びショートメールの送受信が含まれる。認証結果処理部１４０は、着呼側端末３００から送信された認証結果情報が着信を許可する旨を示しているか否かを認識する処理を行う。第２の電話接続処理部１５０は、通信仲介装置１００と着呼側端末３００の間を電話で接続する処理を行う。そして第１の電話接続処理部１１０及び第２の電話接続処理部１５０は、通話内容を示す音声情報を相互に入出力する。これにより、発呼側端末１０と着呼側端末３００の間は、電話として接続される。
【００１７】
なお、第１の電話接続処理部１１０、通知部１２０、パケット通信部１３０、認証結果処理部１４０、及び第２の電話接続処理部１５０が行う処理の詳細は、フローチャートを用いて後述する。また電話帳記憶部１６０、着呼側情報記憶部１７０、及び履歴記憶部１８０が記憶するデータの詳細については、テーブルを用いて後述する。
【００１８】
図３は、電話帳記憶部１６０が記憶するデータの構成の一例を示すテーブルである。電話帳記憶部１６０は電話帳データを記憶している。電話帳記憶部１６０は、詳細には発呼側端末１０となるべき複数の通信端末それぞれごとに、電話番号と、通信端末の使用者に関する使用者情報とを対応付けて記憶している。発呼側端末１０となるべき通信端末は、携帯通信端末であってもよいし、固定電話であってもよい。使用者情報は、例えば使用者の属性情報（例えば勤務先を示す情報）及び使用者名を含んでいる。使用者情報の一部は、さらに警告情報を含んでいる。警告情報は、この使用者からの電話は着信しないほうがよい旨を示す情報である。
【００１９】
図４は、着呼側情報記憶部１７０が記憶するデータの構成の一例を示すテーブルである。着呼側情報記憶部１７０は、着呼側端末３００それぞれごとに、着呼側端末３００の使用者名と、第１の電話番号と、第２の電話番号と、着呼側端末３００のメールアドレスとを互いに対応付けて記憶している。第１の電話番号は、着呼側端末３００に直接電話をかけるときに用いられる番号である。第２の電話番号は、通信仲介装置１００の電話番号であり、通信仲介装置１００を介して着呼側端末３００に電話をかけるときに用いられる番号である。第２の電話番号を用いて発呼した場合、その発呼情報は通信仲介装置１００に送信される。
【００２０】
図５は、履歴記憶部１８０が記憶するデータの構成の一例を示すテーブルである。履歴記憶部１８０は、着呼側端末３００を相互に識別する情報（例えば使用者名）それぞれごとに、この着呼側端末３００の通信履歴を示す情報を記憶している。通信履歴を示す情報には、例えば、通話先である発呼側端末１０の使用者名、着信時刻（月日を含む）、着信を許可したか否かを示す認証結果情報、及び通話の終了時刻を含んでいる。
【００２１】
図６は、着呼側端末３００の機能構成の一例を示すブロック図である。着呼側端末３００は、パケット通信部３１０、認識処理部３２０、入力部３３０、表示部３４０、電話接続処理部３５０、マイク３６０、及びスピーカー３７０を有する。本図において、本実施形態の本質に関わらない部分の構成については省略している。
【００２２】
パケット通信部３１０は、通信仲介装置１００のパケット通信部１３０とパケット通信を行う。認識処理部３２０は、表示部３４０に、発呼側端末１０の使用者を示す情報を表示する。表示部３４０は、例えば有機ＥＬ（Electro Luminescence）ディスプレイ又は液晶ディスプレイである。
【００２３】
入力部３３０は、使用者が着呼側端末３００に入力する情報を取得する。取得する情報には、認証結果情報が含まれる。また認識処理部３２０は、入力部３３０から認証結果情報を入力されると、この認証結果情報を通信仲介装置１００に送信する。認識処理部３２０は、認証結果情報が着信を許可する旨を示していたとき、着信許可を示す情報を電話接続処理部３５０に出力する。  
【００２４】
電話接続処理部３５０は、着呼側端末３００と通信仲介装置１００との間を電話で接続する処理を行う。電話接続処理部３５０は、着呼側端末３００の使用者からの入力なしで通信仲介装置１００との間で電話としての通信を確立する。ここで電話接続処理部３５０は、着信許可を示す情報を認識処理部３２０から受信していることを条件に、この電話としての通信を確立してもよい。電話接続処理部３５０は、マイク３６０から入力された音声データを通信仲介装置１００に送信し、かつ通信仲介装置１００から受信した音声データを、スピーカー３７０から音声として出力する。
【００２５】
なお、認識処理部３２０及び電話接続処理部３５０が行う処理の詳細は、フローチャートを用いて後述する。
【００２６】
図７は、通信仲介装置１００と着呼側端末３００の各機能部が行う処理の詳細を説明するフローチャートである。まず、発呼側端末１０が、第２の電話番号を用いて発呼する。これにより、発呼情報が通信仲介装置１００の第１の電話接続処理部１１０に送信される（Ｓ１０）。この発呼で送信される発呼情報は、発呼側端末１０の電話番号及び着呼側端末３００の第２の電話番号を含んでいる。
【００２７】
第１の電話接続処理部１１０は、発呼側端末１０から発呼情報を受信すると、発呼情報に含まれる発呼側端末１０の電話番号及び着呼側端末３００の第２の電話番号を通知部１２０に出力する。通知部１２０は、入力された発呼側端末１０の電話番号に対応する使用者情報を、電話帳記憶部１６０から読み出す。また通知部１２０は、入力された第２の電話番号に対応するメールアドレスを、着呼側情報記憶部１７０から読み出す（Ｓ２０）。そして通知部１２０は、読み出したメールアドレスを用いて、パケット通信部１３０を介して着呼側端末３００に、読み出した使用者情報を送信する（Ｓ４０）。使用者情報は、メール又はショートメールで送信される。
【００２８】
着呼側端末３００の認識処理部３２０は、パケット通信部３１０を介して、通信仲介装置１００の通知部１２０が送信した使用者情報を受信する。認識処理部３２０は、受信した使用者情報を表示部３４０に表示させる（Ｓ５０）。使用者は、表示部３４０に表示された使用者情報を認識することにより、いずれの人から電話がかかってきたかを認識することができる。
【００２９】
Ｓ５０に示した処理において、認識処理部３２０は、受信した使用者情報に図３に示した警告情報が含まれているときは、この着信は許可しないほうがよい旨を示す情報も表示部３４０に表示させる。
【００３０】
着呼側端末３００の使用者は、入力部３３０に、発呼側端末１０からの着信を許可するか否かを示す認証結果情報を入力する（Ｓ６０）。入力部３３０は、入力された認証結果情報を認識処理部３２０に出力する。認識処理部３２０は、入力された認証結果情報を、パケット通信部３１０を介して通信仲介装置１００に送信する（Ｓ７０）。認証結果情報は、例えばメール又はショートメールで送信される。また認識処理部３２０は、認証結果情報が着信を許可する旨を示していたとき、着信許可を示す情報を電話接続処理部３５０に出力する。
【００３１】
通信仲介装置１００の認証結果処理部１４０は着呼側端末３００が送信した認証結果情報を、パケット通信部３１０を介して受信する。このとき認証結果処理部１４０は、着呼側端末３００のメールアドレスも受信する。認証結果処理部１４０は、受信した認証結果情報が、発呼側端末１０からの着信を許可することを示していたとき（Ｓ８０：Ｙｅｓ）、第２の電話接続処理部１５０及び第１の電話接続処理部１１０にその旨を出力する。このとき認証結果処理部１４０は、着呼側端末３００のメールアドレスに対応する第１の電話番号を着呼側情報記憶部１７０から読み出して第２の電話接続処理部１５０に出力する。なお認証処理部１４０は、第１の電話接続処理部１１０から第２の電話番号を取得して、この第２の電話番号に対応する第１の電話番号を着呼側情報記憶部１７０から読み出して第２の電話接続処理部１５０に出力してもよい。
【００３２】
そして第２の電話接続処理部１５０は、第１の電話番号を用いて着呼側端末３００に発呼情報を送信する（Ｓ９０）。ここで送信される発呼情報には、通信仲介装置１００の電話番号が含まれる。着呼側端末３００の電話接続処理部３５０は、第２の電話接続処理部１５０から発呼情報を受信すると、着呼側端末３００の使用者からの入力なしで着信処理を行い、第２の電話接続処理部１５０との間で電話としての通信を確立する（Ｓ１００）。このとき、電話接続処理部３５０は、着信許可を示す情報を認識処理部３２０から受信していることを条件に、この電話としての通信を確立してもよい。
【００３３】
また第１の電話接続処理部１１０は、着信処理を行い、発呼側端末１０との間で電話としての通信を確立する（Ｓ１１０）。そして第１の電話接続処理部１１０及び第２の電話接続処理部１５０は、通話内容を示す音声情報を相互に入出力する。これにより、発呼側端末１０と着呼側端末３００の間は、電話として接続される（Ｓ１２０）。そして通話が終了したとき、第２の電話接続処理部１５０は、通話履歴を示す情報を履歴記憶部１８０に記憶させる。
【００３４】
なお、認証結果処理部１４０は、受信した認証結果情報が、発呼側端末１０からの着信を拒否することを示していたとき（Ｓ８０：Ｎｏ）、第１の電話接続処理部１１０にその旨を出力する。第１の電話接続処理部１１０は、着信拒否を示す情報を生成して発呼側端末１０に送信する（Ｓ１３０）。そして発呼側端末１０は、着信拒否を示す情報を表示する（Ｓ１４０）。
【００３５】
図８（Ａ）は、図７のＳ５０における表示部３４０の第１の表示例を示す図である。本図において、表示部３４０は、電話をかけてきた人、すなわち発呼側端末１０の使用者の名前、並びに着信を許可する旨の情報を入力するための着信ボタン３４２及び着信を拒否する旨の情報を入力するための拒否ボタン３４４を表示している。着呼側端末３００の使用者は、着信ボタン３４２及び拒否ボタン３４４のいずれかを選択することにより、容易に認証結果情報を入力することができる。また着呼側端末３００の使用者は、発呼側端末１０の使用者の名前を視覚的に認識することができる。
【００３６】
図８（Ｂ）は、図７のＳ５０における表示部３４０の第２の表示例を示す図である。本図において、表示部３４０は、発呼側端末１０の使用者の名前、着信ボタン３４２、拒否ボタン３４４、及びこの発呼は許可しないほうがよい旨を示す情報３４６を表示している。このため着呼側端末３００の使用者は、電話を着信しないほうがよい場合を視覚的に認識することができる。
【００３７】
以上、本実施形態によれば、通信仲介装置１００が着呼側端末３００と発呼側端末１０を電話として接続する。そして、この接続を確立する前に、発呼側端末１０の使用者を示す使用者情報を着呼側端末３００に送信する。従って、着呼側端末３００に電話帳データが記憶されていなくても、着呼側端末３００の使用者は、誰から電話がかかってきたか認識することができる。
【００３８】
また、通信仲介装置１００は、使用者情報をパケット通信で着呼側端末３００に送信する。また着呼側端末３００は、発呼側端末１０からの着信を許可するか否かを示す認証結果情報を、パケット通信で通信仲介装置１００に送信する。このため、着呼側端末３００のハード構成として一般的な携帯通信端末と同じハード構成を採用することができる。
【００３９】
また発呼側端末１０は、第２の電話番号を用いて着呼側端末３００への発呼を行うため、発呼側端末１０が直接着呼側端末３００に発効することを防止できる。
【００４０】
また、通信仲介装置１００は、受信した認証結果情報が着信を許可していることを示していたときに、発呼側端末１０との間で電話としての接続を確立する。この確立の前は、通信仲介装置１００は発呼側端末１０に呼び出し中を示すデータを送信し続ける。このため、発呼側端末１０の使用者は、通信仲介装置１００を介して着呼側端末３００に電話をかけていることを認識しないですむ。
【００４１】
また、着呼側端末３００は、認証結果情報を通信仲介装置１００送信した後、通信仲介装置１００から発呼されたときに、使用者からの入力なしで通信仲介装置１００との間で電話としての接続を確立する。このため、着呼側端末３００を使用しても、着信までに使用者に要求される操作回数は、通常の通信端末と比較して増加しない。従って、着呼側端末３００の使用者は、通常の通信端末と同様の感覚で着呼側端末３００を操作することができる。
（第２の実施形態）
【００４２】
図９は、第２の実施形態にかかる通信システム５０の構成を示すブロック図である。本実施形態において通信システム５０は、電話帳サーバ２００と、着呼側端末３００を備える。発呼側端末１０は、着呼側端末３００に電話をかけるときは、第１の実施形態における第１の電話番号を用いて発呼を行う。このため、発呼情報は着呼側端末３００に直接送信される。着呼側端末３００は、電話帳サーバ２００に、発呼情報に含まれていた電話番号を送信する。電話帳サーバ２００は、第１の実施形態における電話帳記憶部１６０を有している。電話帳サーバ２００は、受信した電話番号に対応する使用者情報を電話帳記憶部１６０から読み出して着呼側端末３００に送信する。着呼側端末３００は、受信した使用者情報を使用者に認識させる処理を行う。このため、着呼側端末３００が電話帳データを記憶していなくても、着呼側端末３００の使用者は、電話をかけてきた相手を認識することができる。以下、本実施形態の通信システム５０について詳細に説明する。
【００４３】
図１０は、電話帳サーバ２００の機能構成を示すブロック図である。電話帳サーバ２００は、電話帳記憶部１６０、パケット通信部２１０、及び使用者情報送信部２２０を有する。電話帳記憶部１６０のデータ構成は、第１の実施形態と同様であるため説明を省略する。パケット通信部２１０は、着呼側端末３００と通信仲介装置１００の間でパケット通信を行う。パケット通信には、メール及びショートメールの送受信が含まれる。使用者情報送信部２２０は、着呼側端末３００から受信した発呼側端末１０の電話番号に対応する使用者情報を電話帳記憶部１６０から読み出し、読み出した使用者情報を着呼側端末３００に送信する処理を行う。
【００４４】
図１１は、本実施形態にかかる着呼側端末３００の機能構成を示すブロック図である。本図に示す着呼側端末３００は、入力部３３０から入力される認証結果情報が電話接続処理部３５０に出力される点、並びに認識処理部３２０及び電話接続処理部３５０が行う処理の詳細を除いて、第１の実施形態において図６を用いて説明した着呼側端末３００と同様の構成である。また本図において、本実施形態の本質に関わらない部分の構成については省略している。  なお、本実施形態における認識処理部３２０及び電話接続処理部３５０が行う処理の詳細は、フローチャートを用いて後述する。
【００４５】
図１２は、電話帳サーバ２００と着呼側端末３００の各機能部が行う処理の詳細を説明するフローチャートである。まず、発呼側端末１０が、第１の電話番号を用いて発呼する。これにより、発呼情報が着呼側端末３００の電話接続処理部３５０に送信される（Ｓ２００）。この発呼で送信される発呼情報は、発呼側端末１０の電話番号及び着呼側端末３００の第１の電話番号を含んでいる。電話接続処理部３５０は、発呼側端末１０から発呼情報を受信すると、発呼情報に含まれる発呼側端末１０の電話番号を、パケット通信部３１０を介して電話帳サーバ２００に送信する（Ｓ２１０）。発呼側端末１０の電話番号は、例えばメール又はショートメールで送信される。
【００４６】
電話帳サーバ２００の使用者情報送信部２２０は、パケット通信部２１０を介して発呼側端末１０の電話番号を受信し、受信した電話番号に対応する使用者情報を電話帳記憶部１６０から読み出す（Ｓ２２０）。使用者情報送信部２２０は、読み出した使用者情報を、パケット通信部２１０を介して着呼側端末３００に送信する（Ｓ２３０）。使用者情報は、例えばメール又はショートメールで送信される。
【００４７】
着呼側端末３００の認識処理部３２０は、パケット通信部３１０を介して、電話帳サーバ２００の使用者情報送信部２２０が送信した使用者情報を受信する。そして認識処理部３２０は、受信した使用者情報を表示部３４０に表示させる（Ｓ２４０）。この表示処理は、第１の実施形態において図７のＳ５０で説明した処理と略同様であり、その表示画面の例は、例えば図８の両図に示した例と同様である。このため、使用者は、電話をかけてきた相手を認識することができる。また認識処理部３２０は、受信した使用者情報に図３に示した警告情報が含まれているときは、この着信は許可しないほうがよい旨を示す情報も表示部３４０に表示させる。
【００４８】
着呼側端末３００の使用者は、表示部３４０に表示された使用者情報を認識し、入力部３３０に、発呼側端末１０からの着信を許可するか否かを示す認証結果情報を入力する（Ｓ２５０）。入力部３３０は、入力された認証結果情報を電話接続処理部３５０に出力する。
【００４９】
電話接続処理部３５０は、入力された認証結果情報が着信を許可することを示していたとき（Ｓ２６０：Ｙｅｓ）、着信処理を行い、発呼側端末１０との間で電話としての接続を確立する（Ｓ２７０）。その後、電話接続処理部３５０は発呼側端末１０と共に通話処理を行う（Ｓ２８０）。
【００５０】
また電話接続処理部３５０は、入力された認証結果情報が、発呼側端末１０からの着信を拒否することを示していたとき（Ｓ２６０：Ｎｏ）、着信拒否を示す情報を生成して発呼側端末１０に送信する（Ｓ２９０）。そして発呼側端末１０は、着信拒否を示す情報を表示する（Ｓ３００）。
【００５１】
以上、本実施形態によれば、発呼側端末１０が直接着呼側端末３００に発呼したとき、着呼側端末３００の使用者は、誰から電話がかかってきたか認識することができる。また、着呼側端末３００は、発呼側端末１０の使用者情報を表示させるまでは、着呼側端末３００の使用者に操作を要求しない。そして、使用者が認証結果情報を入力したときに、着信処理を行う。従って、着呼側端末３００の使用者は、通常の通信端末と同様の感覚で着呼側端末３００を操作することができる。
【００５２】
なお、図２に示した通信仲介装置１００の各構成要素、図６及び図１１に示した着呼側端末３００の各構成要素、並びに図１０に示した電話帳サーバ２００の各構成要素は、ハードウエア単位の構成ではなく、機能単位のブロックを示している。これらの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００５３】
以上、図面を参照して本発明の実施形態について述べたが、これらは本発明の例示であり、上記以外の様々な構成を採用することもできる。例えば着呼側端末３００は、音声出力によって発呼側端末１０の使用者情報を着呼側端末３００の使用者に認識させてもよい。
【００５４】
また、第１の実施形態に示した通信システムと第２の実施形態に示した通信システムを組み合わせてもよい。この場合、発呼側端末１０が、図４を用いて説明した第１の電話番号及び第２の電話番号のいずれを用いて発呼したときでも、着呼側端末３００は、着呼側端末３００の使用者に電話をかけてきた相手を認識させることができる。
【図面の簡単な説明】
【００５５】
【図１】第１の実施の形態にかかる通信システムの構成を示すブロック図である。
【図２】通信仲介装置の機能構成の一例を示すブロック図である。
【図３】電話帳記憶部が記憶するデータの構成の一例を示すテーブルである。
【図４】着呼側情報記憶部が記憶するデータの構成の一例を示すテーブルである。
【図５】履歴記憶部が記憶するデータの構成の一例を示すテーブルである。
【図６】着呼側端末の機能構成の一例を示すブロック図である。
【図７】通信仲介装置と着呼側端末の各機能部が行う処理の詳細を説明するフローチャートである。
【図８】（Ａ）は、図７のＳ５０における表示部の第１の表示例を示す図であり、（Ｂ）は同第２の表示例を示す図である。
【図９】第２の実施形態にかかる通信システムの構成を示すブロック図である。
【図１０】電話帳サーバの機能構成を示すブロック図である。
【図１１】本実施形態にかかる着呼側端末の機能構成を示すブロック図である。
【図１２】電話帳サーバと着呼側端末の各機能部が行う処理の詳細を説明するフローチャートである。
【符号の説明】
【００５６】
１０ 発呼側端末
５０ 通信システム
１００ 通信仲介装置
１１０ 第１の電話接続処理部
１２０ 通知部
１３０ パケット通信部
１４０ 認証結果処理部
１５０ 第２の電話接続処理部
１６０ 電話帳記憶部
１７０ 着呼側情報記憶部
１８０ 履歴記憶部
２００ 電話帳サーバ
２１０ パケット通信部
２２０ 使用者情報送信部
３００ 着呼側端末
３１０ パケット通信部
３２０ 認識処理部
３３０ 入力部
３４０ 表示部
３４２ 着信ボタン
３４４ 拒否ボタン
３５０ 電話接続処理部
３６０ マイク
３７０ スピーカー
【図１】
2009260741.tif 000003
【図２】
2009260741.tif 000004
【図３】
2009260741.tif 000005
【図４】
2009260741.tif 000006
【図５】
2009260741.tif 000007
【図６】
2009260741.tif 000008
【図７】
2009260741.tif 000009
【図８】
2009260741.tif 000010
【図９】
2009260741.tif 000011
【図１０】
2009260741.tif 000012
【図１１】
2009260741.tif 000013
【図１２】
2009260741.tif 000014